(57)【要約】【課題】  従来は複数の映像信号を１台に表示装置で表示する場合、互いに同期している複数の映像信号が一回でも同期外れの状態になってしまうと、表示された映像にフレームずれが発生し、非常に見づらい映像となってしまう。【解決手段】  記憶手段書込み回路１１は、並列に入力される４チャンネルの動画像信号を、各チャンネル別に４つの記憶手段１３−１〜１３−４の各バンクに並列に書込むが、同期信号検出回路１２で垂直同期信号が検出されたときに出力される同期信号検出信号が供給される毎に、記憶手段１３−１〜１３−４の書込みを実行しているバンクを現在のバンクから次のバンクに変更する。従って、ノイズなどにより同期信号に乱れが発生し、偽の垂直同期信号が同期信号検出回路１２で検出されると、記憶手段１３−１〜１３−４の書込み途中のバンクから次のバンクへ乱れが発生した時点以降の映像信号が書込まれる。【選択図】            図１
2006310906.tif 000002
【特許請求の範囲】
【請求項１】
並列に入力される互いに同期した複数チャンネルの映像信号を予め定めた順番で出力する処理を行う映像信号処理装置であって、
前記複数チャンネルの映像信号のうち、一のチャンネルの映像信号中の同期信号を検出する同期信号検出回路と、
前記複数チャンネルの映像信号を一定記憶容量単位で記憶する記憶手段と、
前記複数チャンネルの映像信号を前記記憶手段の複数の記憶ブロックのうち巡回的に切り替えて選択した一の記憶ブロックに書込むと共に、前記同期信号検出回路から同期信号検出信号が供給される毎に、前記記憶手段の書込みを実行している記憶ブロックを現在の記憶ブロックから次の記憶ブロックへ変更する記憶手段書込み回路と、
前記記憶手段に記憶されている前記複数チャンネルの映像信号を、予め定めたチャンネル順で、かつ、前記記憶手段の書込みを実行している記憶ブロックより前に書込みが実行された記憶ブロックから順次に読出す記憶手段読出し回路と
を有することを特徴とする映像信号処理装置。
【発明の詳細な説明】
【技術分野】
【０００１】
本発明は映像信号処理装置に係り、特に複数の映像信号を同一画面に表示するマルチ画面表示を行うための映像信号処理装置に関する。
【背景技術】
【０００２】
近年の映像表示デバイスにおいては、解像度の向上が急速に進んでいる。今までは、プログレッシブ方式で水平走査線数７２０本の映像信号（７２０Ｐ）や高精細度テレビ（ＨＤＴＶ:High Definition Television）の映像信号を１チャンネル表示することがやっとであったが、液晶を応用したマイクロデバイスでは、水平４０００画素／垂直２０００画素の解像度を持つものが実用化されてきている。
【０００３】
ところで、このような超高精細映像表示を行う場合、従来は複数の映像表示装置を縦横に隣接して配置し、１つの表示画面を構成するマルチ画面表示装置が知られている（例えば、特許文献１参照）。この特許文献１のマルチ画面表示装置は、複数の映像表示装置の各々が、スクリーン上に映像を投影する投影装置と、映像信号を処理する映像信号処理回路と、映像ソースを選択する入力切替回路と、予め決められた時間を計測し、既定時間が経つと割り込み信号を発生する自己リセット機能を備えたタイマ回路と、タイマ回路からの割り込み信号に同期して投影装置の動作状態を制御するための制御信号などを出力して投影装置の出画タイミングを制御するシステムコントロール回路とを備えた構成である。
【０００４】
このマルチ画面表示装置では、複数の投影装置（プロジェクタ）が複数のスクリーンに１対１で映像を投射し、複数のスクリーン全体で合成した一つの画像（例えば、ＨＤＴＶ画像の水平方向、垂直方向のそれぞれ各２倍の画像）を表示したり、個別の画像を複数のスクリーンに別々に表示し、また、映像ソース切り替え時などの動作不安定状態で起こる映像表示装置の個々の出画タイミングのばらつきを防止する。
【０００５】
【特許文献１】特開平１１−２３４５９５号公報
【発明の開示】
【発明が解決しようとする課題】
【０００６】
しかるに、上記のマルチ画面表示装置は、複数の投影装置（プロジェクタ）を必要とするため高価であり、また消費電力が大きいという問題がある。一方、水平４０００画素／垂直２０００画素の解像度を持つ液晶を応用したマイクロデバイスにより画像を表示する場合は、画像表示装置は１台であり、前記特許文献１記載のマルチ画面表示装置に比べて安価で消費電力も小さいが、上記のマイクロデバイスで画像表示する場合には、入力された複数のＨＤＴＶ映像信号などの映像信号に対して、画面上にて張り合わせを行うような信号処理を行って、表示用映像信号を生成することが行われている。
【０００７】
しかし、この従来の画像表示装置では、複数の映像信号を互いに同期して入力したとしても、ノイズその他により各映像信号が同期をとれた状態から一回でも同期外れの状態になってしまうと、それ以降表示された映像にフレームずれが継続して発生し、非常に見づらい映像となってしまう。また、手動でリセット動作を行わなければ、正常な画像表示に復帰しないため、操作が煩わしいという問題もある。
【０００８】
本発明は以上の点に鑑みなされたもので、複数の入力映像信号に同期の乱れが生じても、自動的に正常な映像表示に復帰し得る映像信号処理装置を提供することを目的とする。
【課題を解決するための手段】
【０００９】
上記の目的を達成するため、本発明は、並列に入力される互いに同期した複数チャンネルの映像信号を予め定めた順番で出力する処理を行う映像信号処理装置であって、複数チャンネルの映像信号のうち、一のチャンネルの映像信号中の同期信号を検出する同期信号検出回路と、複数チャンネルの映像信号を一定記憶容量単位で記憶する記憶手段と、複数チャンネルの映像信号を記憶手段の複数の記憶ブロックのうち巡回的に切り替えて選択した一の記憶ブロックに書込むと共に、同期信号検出回路から同期信号検出信号が供給される毎に、記憶手段の書込みを実行している記憶ブロックを現在の記憶ブロックから次の記憶ブロックへ変更する記憶手段書込み回路と、記憶手段に記憶されている複数チャンネルの映像信号を、予め定めたチャンネル順で、かつ、記憶手段の書込みを実行している記憶ブロックより前に書込みが実行された記憶ブロックから順次読出す記憶手段読出し回路とを有する構成としたものである。
【００１０】
この発明では、並列に入力される互いに同期した複数チャンネルの映像信号を記憶手段の複数の記憶ブロックのうち巡回的に切り替えて選択した一の記憶ブロックに書込むと共に、一のチャンネルの映像信号の同期信号が検出される毎に、記憶手段の書込みを実行している記憶ブロックを現在の記憶ブロックから次の記憶ブロックへ変更し、また、記憶手段の書込みを実行している記憶ブロックより前に書込みが実行された記憶ブロックから順次直列に複数チャンネルの映像信号を読出すことにより、複数チャンネルの映像信号の同期信号にばらつきがあっても、複数チャンネルの映像信号の同期信号にばらつきがなくなると、記憶手段のある記憶ブロックの最初から正常に書込み動作及び読出し動作が再開されるため、記憶手段読出し回路から出力された映像信号を画面に表示した場合、複数チャンネルの映像信号の同期信号に一瞬ばらつきがあったときは、その瞬間では画面の乱れが見られるが、その後はまた正常に表示可能となる。
【発明の効果】
【００１１】
本発明によれば、複数チャンネルの映像信号の同期信号にばらつきがなくなると、記憶手段のある記憶ブロックの最初から正常に書込み動作及び読出し動作が再開されるため、記憶手段読出し回路から出力された映像信号を画面に表示した場合、複数チャンネルの映像信号の同期信号に一瞬ばらつきがあった場合、その瞬間では画面の乱れが見られるが、自動的に正常な映像表示に復帰でき、従って、手動によるリセット動作を不要にでき、操作性を向上できる。
【発明を実施するための最良の形態】
【００１２】
次に、本発明の実施の形態について図面と共に説明する。図１は本発明になる映像信号処理装置の一実施の形態のブロック図を示す。同図に示すように、本実施の形態の映像信号処理装置は、複数チャンネル、例えば４チャンネルの表示されるべき映像信号が並列に入力されて、これを取り込む記憶手段書込み回路１１と、上記の４チャンネルの入力映像信号中の１チャンネルの入力映像信号から同期信号を検出する同期検出回路１２と、各チャンネルの映像信号を記憶する４つの記憶手段１３−１〜１３−４と、記憶手段１３−１〜１３−４から記憶されている映像信号を読出して出力する記憶手段読出し回路１４とから構成されている。
【００１３】
ここで、記憶手段書込み回路１１に並列に入力される４チャンネルの映像信号は互いに同期しているものとする。また、記憶手段１３−１〜１３−４の各々は、図２（Ａ）〜（Ｄ）に示すように、４つの記憶ブロック（以下、バンクという）に区分され、各バンクに映像信号を記憶可能な構成とされている。
【００１４】
次に、図１の本実施の形態の動作について、図３及び図４のタイミングチャートを併せ参照して説明する。この実施の形態では、水平方向４０９６画素、垂直方向２１６０画素の解像度を持つ液晶デバイスに動画像を表示する場合に、画面を水平方向、垂直方向にそれぞれ２分割、計４分割したときの各分割画面に対応した４チャンネルの動画像信号が入力されるものとする。
【００１５】
第１乃至第４の上記の４チャンネルの動画像信号は、並列に記憶手段書込み回路１１に供給される一方、そのうちの一つのチャンネル（例えば、第１チャンネル）の動画像信号が同期検出回路１２に供給される。ここで、各チャンネルの動画像信号は、例えば、三原色信号Ｒ，Ｇ，Ｂで、各原色信号はそれぞれ量子化ビット数１０ビットのディジタル映像信号であるが、ここでは説明の便宜上、単に動画像信号として説明する。
【００１６】
上記の４チャンネルの動画像信号は、互いに同期するように生成されているので、同期検出回路１２で検出される第１チャンネルの垂直同期信号と他の３つのチャンネルの垂直同期信号とは同一位相である。記憶手段書込み回路１１は、並列に入力される４チャンネルの動画像信号を、各チャンネル別に４つの記憶手段１３−１〜１３−４の各バンクに並列に書込むが、同期信号検出回路１２で垂直同期信号が検出されたときに出力される同期信号検出信号が供給される毎に、記憶手段１３−１〜１３−４の書込みを実行しているバンクを現在のバンクから次のバンクに変更する。
【００１７】
従って、記憶手段１３−１〜１３−４は、１フレーム毎に図２（Ａ）〜（Ｄ）に示したバンク−１→バンク−２→バンク−３→バンク−４→バンク−１→・・・というように、順次巡回的に記憶場所であるバンクが切り替えられていく。
【００１８】
これにより、第１チャンネル、第２チャンネル、第３チャンネル、第４チャンネルの入力動画像信号が、図３（Ａ）、（Ｂ）、（Ｃ）、（Ｄ）に模式的に示すように記憶手段書込み回路１１に並列に入力された場合は、記憶手段１３−１、１３−２、１３−３、１３−４の各バンクには、同図（Ｅ）、（Ｆ）、（Ｇ）、（Ｈ）に模式的に示すように、１フレームずつ記憶され、かつ、その記憶バンクが１フレーム毎に巡回的に切り替えられていく。なお、図３中、ＣＨはチャンネル、Ｆはフレームを示す。従って、例えば、「ＣＨ２−Ｆ５」は第２チャンネルの第５フレームを意味する（図４も同様）。
【００１９】
記憶手段読出し回路１４は、上記の記憶手段書込み回路１１が書込みを行っている記憶手段１３−１〜１３−４のバンクの一つ前のバンクの記憶動画像信号を、書込み時と同一レートで１フレーム書込み期間内で読出す。この読出しは、例えば第１チャンネルＣＨ１と第２チャンネルＣＨ２の各ラインを交互にライン順に読出して１０８０ライン分すべて読出した後、続いて第３チャンネルＣＨ３と第４チャンネルの各ラインを交互にライン順に読出して１０８０ライン分すべて読出すように行われる。これにより、記憶手段読出し回路１４からは、現在入力している動画像信号の１フレーム前の４チャンネルの動画像信号を常に直列に出力することが可能となる。
【００２０】
なお、記憶手段読出し回路１４と記憶手段書込み回路１１とは互いに完全に独立して動作しているため、記憶手段読出し回路１４は、垂直同期期間に記憶手段書込み回路１１がどのバンクに書込みを行っているかを検出し、次に読出すバンクを決定する。記憶手段読出し回路１４から直列に読出された４チャンネルの動画像信号は、水平方向４０９６画素、垂直方向２１６０画素の解像度を持つ液晶デバイスの４つの分割画面領域にそれぞれ表示され、画面全体としては一つの画像として表示される。
【００２１】
ところで、図３のタイミングチャートは、正常に記憶手段１３−１〜１３−４に書込みが行われた場合のタイミングチャートである。ここで、仮にノイズなどにより同期信号に乱れが発生し、第３フレームＦ３の記憶動作中に、同期検出回路１２から偽の垂直同期信号を検出して得られた検出信号が記憶手段書込み回路１１に入力されたものとすると、記憶手段書込み回路１１は、記憶手段１３−１〜１３−４の書込みを実行しているバンクを現在のバンクから次のバンクに変更する。
【００２２】
従って、この場合は、記憶手段１３−１〜１３−４は、図４（Ａ）〜（Ｄ）に模式的に示すように、バンク３の途中まで対応するチャンネルの第３フレームＦ３を記憶し、続いてバンク４の途中から対応するチャンネルの第３フレームＦ３の残りを記憶することとなる。第４フレームＦ４以降は、垂直同期信号が正常に検出されるものとすると、記憶手段１３−１〜１３−４の各バンクの記憶内容は図４（Ａ）〜（Ｄ）に模式的に示すように推移していく。
【００２３】
また、記憶手段読出し回路１４からは、図４（Ｅ）に模式的に示すように記憶動画像信号が読出される。ここで、第３フレームの読出し時には、記憶手段１３−１〜１３−４の各バンク３には、図４（Ａ）〜（Ｄ）に模式的に示すように、途中まで第３フレームＦ３が記憶されているので、第３フレームＦ３の最初から途中のラインまでは正常な第３フレームＦ３の動画像信号が読出されるが、それ以降第３フレームの最後まではノイズ又は他の記憶信号が読出される。
【００２４】
また、次の第４フレームの読出し時には、記憶手段１３−１〜１３−４の各バンク４に、途中から第３フレームＦ３の残りの画像信号が記憶されているので、次のフレームの読出し期間では、最初から途中まではノイズ又は他の記憶信号が読出され、そのフレーム読出し期間の途中から第３フレームＦ３の残りの動画像信号が読出される。それ以降のフレーム読出し期間では、第４フレーム以降の動画像信号が正常に読出される。
【００２５】
従って、本実施の形態では、ノイズなどにより第３フレームＦ３の記憶動作中に、垂直同期信号に乱れが発生したとしても、第３フレームの画像の乱れが２フレーム期間に亘って発生するが、それは一瞬であり、その後は自動的に正常な画像表示に復帰できる。従って、従来に比べて画像劣化の状態を極めて短くでき、しかも正常な画像表示に戻すための手動のリセット動作が不要であり、操作性を向上できる。
【００２６】
なお、本発明は以上の実施の形態に限定されるものではなく、並列入力される映像信号のチャンネル数などは、入力映像信号の諸元や表示デバイスの解像度などに応じて適宜選定されるものであり、４チャンネルに限定されないことは勿論である。また、複数の映像信号を入力して表示するマルチ画面対応の装置に適用することもできる。
【図面の簡単な説明】
【００２７】
【図１】本発明の一実施の形態のブロック図である。
【図２】図１中の記憶手段のバンク（記憶ブロック）の説明図である。
【図３】図１の正常書込み時の動作説明用タイミングチャートである。
【図４】図１の同期外れ発生時の動作説明用タイミングチャートである。
【符号の説明】
【００２８】
１１  記憶手段書込み回路
１２  同期検出回路
１３−１〜１３−４  記憶手段
１４  記憶手段読出し回路
【図１】
2006310906.tif 000003
【図２】
2006310906.tif 000004
【図３】
2006310906.tif 000005
【図４】
2006310906.tif 000006